(57)【要約】本発明は、歯清掃の分野に関する。本発明によれば、口内に入れるようになっている歯清掃デバイスが提供される。歯清掃用デバイスは、舌を使って口内のあらゆる位置に移動できるようにすることで清掃プロセスを行う係合手段を備える。
2005523099.tif 000002
【特許請求の範囲】
【請求項１】
本体（２）と、前記本体によって保持された複数の毛（３）とを備える歯清掃用デバイス（１）であって、
人の舌と係合するようになっており、舌を使って口内で前記歯清掃用デバイスを移動させることができるようにする係合手段（４、７）を備えることを特徴とする、歯清掃用デバイス。
【請求項２】
前記係合手段が、舌の少なくとも一部分を収容するようになっている収容部分（４、７）を備え、舌を使って口内で前記歯清掃用デバイスを移動させることができることを特徴とする、請求項１に記載の歯清掃用デバイス。
【請求項３】
前記収容部分が、舌の少なくとも端部を収容するようになっている収容孔（４）を備え、舌を使って口内で前記歯清掃用デバイスを移動させることができることを特徴とする、請求項２に記載の歯清掃用デバイス。
【請求項４】
前記本体が、前記収容部分を画成する内側キャビティ（７）を備える中空本体であり、前記内側キャビティが、前記収容孔を介して外部と連通することを特徴とする、請求項３に記載の歯清掃用デバイス。
【請求項５】
前記中空本体が、ほぼ円筒状の収容部分を画成するほぼ中空の円筒形状を有することを特徴とする、請求項４に記載の歯清掃用デバイス。
【請求項６】
前記本体が、テーパ状の収容部分を画成するほぼ中空のシンブル形状を有することを特徴とする、請求項４に記載の歯清掃用デバイス。
【請求項７】
前記本体が、ほぼ球状の収容部分を画成するほぼ球状の中空形状を有することを特徴とする、請求項４に記載の歯清掃用デバイス。
【請求項８】
前記本体が、前記収容孔に対応する貫通孔（４）を画成することを特徴とする、請求項３に記載の歯清掃用デバイス。
【請求項９】
前記本体が、ほぼリング形状またはドーナツ形状を有することを特徴とする、請求項８に記載の歯清掃用デバイス。
【請求項１０】
前記本体が、ほぼ四角形状を有することを特徴とする、請求項８に記載の歯清掃用デバイス。
【請求項１１】
前記本体が、所定数の辺を有するほぼ多角形状を有することを特徴とする、請求項８に記載の歯清掃用デバイス。
【請求項１２】
前記本体が、ほぼ円形の断面形状を有することを特徴とする、請求項８〜１１のいずれか一項に記載の歯清掃用デバイス。
【請求項１３】
前記本体が、ほぼ四角形の断面形状を有することを特徴とする、請求項８〜１１のいずれか一項に記載の歯清掃用デバイス。
【請求項１４】
前記本体が、所定数の辺を有するほぼ多角形の断面形状を有する、請求項８〜１１のいずれか一項に記載の歯清掃用デバイス。
【請求項１５】
前記本体が、前記貫通孔に面する円筒状の表面（５）を備えることを特徴とする、請求項８〜１１のいずれか一項に記載の歯清掃用デバイス。
【請求項１６】
前記本体が、線形部分と、前記線形部分に接合された湾曲部分とによって画成される断面形状を有することを特徴とする、請求項１５に記載の歯清掃用デバイス。
【請求項１７】
本体（２）と、前記本体によって保持された複数の毛（３）とを備える歯清掃用デバイス（１）であって、前記本体（２）が、人の歯と係合するようになっており、舌を使って口内で前記歯清掃用デバイスを移動させることができるようにする係合手段（４、７）を形成するような形になるように変形可能であることを特徴とする、歯清掃用デバイス。
【請求項１８】
前記本体が、舌の少なくとも一部分を収容するようになっている収容部分（４、７）を画成するように変形可能であり、舌を使って口内で前記歯清掃用デバイスを移動させることができることを特徴とする、請求項１７に記載の歯清掃用デバイス。
【請求項１９】
前記本体が、舌の少なくとも端部を収容するようになっている収容孔（４）を備える収容部分を画成するように変形可能であり、舌を使って口内で前記歯清掃用デバイスを移動させることができることを特徴とする、請求項１８に記載の歯清掃用デバイス。
【請求項２０】
前記本体が、前記収容部分を画成するように変形されるようになっている平坦なストリップを備えることを特徴とする、請求項１９に記載の歯清掃用デバイス。
【請求項２１】
前記平坦なストリップが、ほぼ円筒状の収容部分を画成するほぼ円筒形状の本体に変形可能であることを特徴とする、請求項２０に記載の歯清掃用デバイス。
【請求項２２】
前記平坦なストリップが、テーパ収容部分を画成するほぼシンブル形状の本体に変形可能であることを特徴とする、請求項２０に記載の歯清掃用デバイス。
【請求項２３】
前記平坦なストリップが、ほぼ球状の収容部分を画成するほぼ球形状の本体に変形可能であることを特徴とする、請求項１９に記載の歯清掃用デバイス。
【請求項２４】
前記本体が、貫通孔（４）を画成するように変形されるようになっている、ほぼバレル状の形状の細長い本体を備えることを特徴とする、請求項１９に記載の歯清掃用デバイス。
【請求項２５】
細長い本体が、ほぼリング状またはドーナツ状の本体に変形可能であることを特徴とする、請求項２４に記載の歯清掃用デバイス。
【請求項２６】
前記細長い本体が、ほぼ四角形状の本体に変形可能であることを特徴とする、請求項２４に記載の歯清掃用デバイス。
【請求項２７】
前記細長い本体が、所定数の辺を有するほぼ多角形状の本体に変形可能であることを特徴とする、請求項２４に記載の歯清掃用デバイス。
【請求項２８】
前記細長い本体が、ほぼ円形の断面形状を有することを特徴とする、請求項２４〜２７のいずれか一項に記載の歯清掃用デバイス。
【請求項２９】
前記細長い本体が、ほぼ四角形の断面形状を有することを特徴とする、請求項２４〜２７のいずれか一項に記載の歯清掃用デバイス。
【請求項３０】
前記細長い本体が、所定数の辺を有するほぼ多角形状の断面形状を有することを特徴とする、請求項２４〜２７のいずれか一項に記載の歯清掃用デバイス。
【請求項３１】
前記細長い本体が、平坦な表面（５）を備えることを特徴とする、請求項２４〜２７のいずれか一項に記載の歯清掃用デバイス。
【請求項３２】
前記細長い本体が、線形部分と、前記線形部分に接合された湾曲部分（５’）とによって画成された断面形状を有することを特徴とする、請求項３１に記載の歯清掃用デバイス。
【請求項３３】
前記本体が、舌と接触するようになっている接触領域を備え、前記毛が前記接触領域の外側に設けられることを特徴とする、請求項１〜３２のいずれか一項に記載の歯清掃用デバイス。
【請求項３４】
前記本体が、使用中、自然に分散される分散可能な物質を収容するようになっていることを特徴とする、請求項１〜３３のいずれか一項に記載の歯清掃用デバイス。
【請求項３５】
前記分散可能物質が、香味物質、練り歯磨き、または治療用物質の中から選択されることを特徴とする、請求項３４に記載の歯清掃用デバイス。
【請求項３６】
前記本体に、使用中、前記本体に設けられた小さい通路を介して放出される液体の分散可能物質が充填されることを特徴とする、請求項３４または３５のいずれか一項に記載の歯清掃用デバイス。
【請求項３７】
前記本体に、前記分散可能物質を染み込ませることを特徴とする、請求項３４または３５のいずれか一項に記載の歯清掃用デバイス。
【請求項３８】
前記本体が、弾性材料によって形成され、ユーザが手で持つように糸や紐が設けられることで、前記歯清掃用デバイスを間違って飲み込まないようにすることを特徴とする、請求項１〜３７のいずれか一項に記載の歯清掃用デバイス。
【請求項３９】
前記弾性材料が、ゴム、シリコン、または樹脂から選択されることを特徴とする、請求項３８に記載の歯清掃用デバイス。
【請求項４０】
前記本体が、唾液に対して、不活性であり毒性がなく不浸透性であることを特徴とする、請求項１〜３９のいずれか一項に記載の歯清掃用デバイス。
【請求項４１】
前記本体が、本体への舌の粘着性を高めるようになっている粘着性向上手段（８）を備えることを特徴とする、請求項１〜４０のいずれか一項に記載の歯清掃用デバイス。
【請求項４２】
前記粘着性向上手段が、前記本体から延伸する弾性突起部を備えることを特徴とする、請求項４１に記載の歯清掃用デバイス。
【請求項４３】
前記毛が、少なくとも２つの異なる長さの毛を備えることを特徴とする、請求項１〜４２のいずれか一項に記載の歯清掃用デバイス。
【請求項４４】
前記毛が、毛の束を含むことを特徴とする、請求項１〜４３のいずれか一項に記載の歯清掃用デバイス。
【請求項４５】
前記本体（２）と前記毛が、人の唾液によって分散されるようになっている分散可能な物質の甘いものまたはドロップ（９）に少なくとも部分的に埋め込まれることを特徴とする、請求項１〜４４のいずれか一項に記載の歯清掃用デバイス（１）。
【発明の詳細な説明】
【本発明の分野】
【０００１】
本発明は、デンタルケアの分野に関し、特に、使用者が手に持つことなく、口に含ませ位置を変えることが可能な歯清掃用デバイスに関する。
【従来技術の説明】
【０００２】
近年、高齢になるまで、可能であれば、個々人の寿命が続く限り、歯、顎骨構造、および歯茎を良好な状態に維持できるようにそれらを残しておく技術への注目が高まっている。特に、歯の健康は歯の手入れに大きく左右されるため、頻繁に、可能であれば、毎食後、歯を清掃することが強く推奨されている。
【０００３】
しかしながら、例えば、手に持つタイプの歯ブラシや練り歯磨きなど、デンタルケア用の最も一般的な技術および設備では、水の供給と洗面台や洗面器が必要となるため、水および／または適切な構造がすぐに自由にならないあらゆる状況では、歯の清掃を利用することができない。
【０００４】
今日では、自宅の外で一日の大半を過ごし、仕事中、旅行中（例えば、機中で）、または同様のビジネスおよび／またはレジャー活動中に、数回分の食事を手早くとることが益々一般的になってきている。
【０００５】
これらすべての状況とその他の日々の事情で、健康的な理由からだけではなく、息をリフレッシュさせるためにも、歯の清掃を利用する機会を得ることは、非常に望ましく有益である。
【０００６】
しかしながら、時間的制約や他の日々の事情により、歯を十分に清潔な状態にするために必要な努力を行うことをやめてしまう場合が非常に多い。
【０００７】
更に、従来の歯ブラシに練り歯磨きをつけるには、両方の手を使う必要があり、その作業は、上半身の動きが制限されている人や機能しない人、すなわち半身不随の人にとっては、ほとんど不可能なものである。
【０００８】
更に、近年、身体障害者（例えば、車椅子利用者）の問題および／または苦境への関心が高まってきたが、多くの公衆トイレおよび／または洗面所は、身体障害者にとって依然として利用し難いものであるし、例えば利用可能であったとしても、十分な設備が整っていないため、身体障害者は、公衆の洗面所で歯の清掃を利用することができない場合が多い。
【０００９】
これらの不都合を解消するために、あらゆる日々の状況において歯の清掃を利用できるようにする目的で、当業界において数多くの解決策が提案されてきた。
【００１０】
例えば、歯を清掃するための補助としてチューインガムを利用することが提案されており、これは、水の供給と洗面台が不要である点は利点であるが、チューインガムでは、一連の歯、特に、歯とガムが密着する場所をあまり良好な程度に清掃しないことがある。
【００１１】
数種類の形態のハンドレスブラシやブラシボールも提案されてきた。これらのデバイスは、噛むように口の中に差し込まれて、延伸する毛で歯の表面を清掃する。これらのデバイスの１つが、２０００年１２月２０日に公開された英国特許出願第２３５１０１５号に開示されている。このデバイスは、外向きに延伸した短い毛を有する主要な実施形態において、弾力性を備えた折り畳み可能な中空の球状ボールを有することで、使用者は、ボールが歯を清掃している間にボールを噛むことができ、中空ボールは、穴があけられており、ボールを噛むにつれて分散される練り歯磨きを含む。
【００１２】
これは、ある程度実用的なものであるかもしれないが、この種のチューインボールを用いて得られる清掃結果は、ほとんどの場合、満足できる程度のものではないことが分かっている。これは、特に、ボールを噛むとき、歯の噛合い表面しか清掃されず、歯間の食物粒子が除去されないことが原因である。更に、使用者が噛み慣れた方法に応じて、歯間の所定の位置でボールが噛まれる。ボールは、口内のあらゆる位置を移動しないため、ボールの清掃作用を受けない場所が何箇所か残ることになる。
【００１３】
以上のことから、従来技術の欠点を解消または部分的に制限する改良された歯清掃用デバイスを提供することが強く望まれている。
【本発明の概要】
【００１４】
一般的に、本発明は、口内のあらゆる位置に容易に移動可能であることにより、優れた清掃結果を得ることができるハンドレス清掃用デバイスに関する。
【００１５】
特に、本発明による歯清掃用デバイスにより、歯垢を効率的に除去および／または防止できる。
【００１６】
更に、本発明の歯清掃用デバイスにより、日常的な活動を行いながら歯を清掃できるため、実用的に用いられ時間がかからないものである。
【００１７】
更に、本発明の歯清掃用デバイスでは、手および／または腕を用いる必要がないため、上半身不随の身体障害者が便利よく使用できる。
【００１８】
本発明の歯清掃用デバイスは、水を必要とせず、清掃プロセスが完了すると廃棄することができる。
【００１９】
最後に、本発明による歯清掃用デバイスは、使用者の特定の要求を満たすような形状にすることができる。使用者は、口内のあらゆる位置で歯清掃用デバイスを効率的に移動させることが可能な最も好ましい形状を選択することができる。この形状は、清掃プロセス中に変更することも可能であるため、使用者は、一回の清掃プロセス中にさまざまな清掃目的を利用することができる。
【００２０】
この目的を達成するために、請求項１に記載の第１の実施形態によれば、本発明は、本体と、前記本体によって保持された複数の毛とを備える歯清掃用デバイスであって、舌と係合するようになっており、舌を使って口内で前記歯清掃用デバイスを移動させることができるようにする係合手段を備える、歯清掃用デバイスに関する。
【００２１】
請求項４に記載の好ましい実施形態によれば、本発明の歯清掃用デバイスの本体は、舌の少なくとも一部分を収容するようになっている収容部分を画成する内側キャビティを備える中空本体である。
【００２２】
請求項８に記載の別の好ましい実施形態において、本発明の歯清掃用デバイスの本体は、貫通孔を画成する。
【００２３】
請求項９に記載の更なる好ましい実施形態によれば、前記本体は、リングまたはドーナツ形状を有する。
【００２４】
請求項１７に記載の別の好ましい実施形態において、本発明は、本体と、前記本体によって保持された複数の毛とを備える歯清掃用デバイスであって、前記本体が、人の歯と係合するようになっており、舌を使って口内で前記歯清掃用デバイスを移動させることができるようにする係合手段を形成するような形になるように変形可能である、歯清掃用デバイスに関する。
【００２５】
特に、請求項２０に記載の本発明の好ましい実施形態によれば、歯清掃用デバイスの本体は、舌の少なくとも一部分を収容するようになっている収容部分を画成するように変形されるようになっている平坦なストリップを備える。
【００２６】
請求項２１〜２３のいずれか一項に記載の更なる好ましい実施形態によれば、前記平坦なストリップは、ほぼ円筒形状、シンブル形状、または球状の本体に変形可能である。
【００２７】
請求項２４に記載の更なる好ましい実施形態において、本発明による歯清掃用デバイスの本体は、ほぼバレット状の形状の細長い本体を備える。
【００２８】
例えば、前記細長い本体は、ほぼリング状またはドーナツ状の本体に変形可能であり、または、所定数の辺を有するほぼ四角形状の本体または多角形様の形状の本体に変形可能である。
【００２９】
請求項３４に記載の更なる好ましい実施形態によれば、本発明の歯清掃用デバイスの本体は、使用中、自然に分散される分散可能な物質を収容するようになっている。
【００３０】
前記分散可能物質は、香味物質または練り歯磨きまたは治療用物質から選択できることが好ましい。
【００３１】
請求項３６に記載の更なる好ましい実施形態によれば、本発明の歯清掃用デバイスの本体に、使用中、前記本体に設けられた小さい通路を介して放出される液体の分散可能な物質が充填される。
【００３２】
代替として、請求項３７に記載の実施形態によれば、本発明の歯清掃用デバイスの本体に、前記分散可能な物質を染み込ませる。
【００３３】
請求項３８に記載の別の好ましい実施形態において、本発明の歯清掃用デバイスの本体は、弾性材料によって形成され、ユーザが手で持つように糸や紐が設けられることで、歯清掃用デバイスを間違って飲み込まないようにする。前記弾性材料は、ゴム、シリコン、または樹脂から選択されることが好ましい。
【００３４】
更に、請求項４０に記載の更なる好ましい実施形態によれば、本発明の歯清掃用デバイスの本体は、唾液に対して、不活性であり毒性がなく不浸透性である。
【００３５】
請求項４１に記載の別の好ましい実施形態によれば、本体への舌の粘着性を高めるために、粘着性向上手段が設けられる。前記追加の向上手段は、本体から延伸する弾性突起部を備えることが好ましい。
【００３６】
請求項４５に記載の更なる好ましい実施形態によれば、本発明の歯清掃用デバイスは、人の唾液および／または噛むことによって溶けるようになっている分散可能な物質の甘いものやドロップなどに埋め込まれる。
【００３７】
本発明による歯清掃用デバイスの他の好ましい実施形態は、添付の特許請求の範囲に規定される。
【００３８】
本発明の更なる利点、目的、および特徴は、添付の特許請求の範囲に規定され、同一または対応する部品を同一の参照番号で示した添付の図面を参照することで、以下の詳細な記載から更に明らかになるであろう。
【発明を実施するための最良の形態】
【００３９】
以下の詳細な記載と図面に示す実施形態を参照しながら本発明について記載するが、以下の詳細な記載と図面は、本発明を開示される特定の例示的な実施形態に限定することを意図したものではなく、記載される例示的な実施形態は、本発明のさまざまな態様を例示的に記したものにすぎず、本発明の範囲は、添付の特許請求の範囲によって規定されることを理解されたい。
【００４０】
以下、本発明の歯清掃用デバイスの第１の実施形態の図１ａ〜図１ｆおよび図２ａ〜図２ｄを参照しながら記載する。
【００４１】
図１ａは、本発明の歯清掃用デバイスの平面図を示し、図１ｂ〜図１ｆは、対応する断面図に関する。図２ａ〜図２ｄに、異なる形状を有する対応する実施形態の例を示す。
【００４２】
図１ａに示すように、第１の実施形態による歯清掃用デバイス１は、本体２と、前記本体２によって保持された毛３とを備える。本体２は、人の舌の少なくとも端部を収容するようになっている貫通孔４を画成し、この貫通孔により、歯清掃用デバイス１を舌と係合させて、口内のあらゆる位置に移動させることができるようになる。歯清掃用デバイスが、使用者によって口内へ入れられると、毛３は、歯および歯茎と接触して、食物粒子を除去する。清掃プロセスが完了すると、歯清掃用デバイス１は廃棄される。
【００４３】
貫通孔４により、歯清掃用デバイス１を舌と係合させることができるため、使用者が口内のあらゆる位置に歯清掃用デバイス１を移動させることが容易になる。好ましくは、歯清掃用デバイス１は、舌と係合するようになっている係合部分を備え、前記係合部分は毛がない状態に保たれ、例えば、図１ｂに示す特定の実施形態において、本体２は、貫通孔４に面する円筒状の表面５を備える。図１ｂから明らかなように、貫通孔４内に舌を容易に収容できるようにするために、円筒状表面５には毛が設けられていない。実際、円筒状表面５上に毛があると、歯清掃用デバイス１と舌とが係合することで、不快または煩わしさを感じることになりかねない。
【００４４】
歯清掃用デバイス１の本体２は、いくつかの好ましい断面形状を有することができ、例えば、図１ｂから明らかなように、本体２の断面形状は、上述した円筒状表面５に対応する線形部分と、前記線形部分に接合された湾曲部分５’とを備え得る。明瞭にするために毛が省略されて示されている図１ｃ〜図１ｆから明らかなように、他の断面形状は、本発明の範囲内のものであり、例えば、図１ｅに示すように、環状またはドーナツ状の本体２が実現可能であり、前記環状本体は、円形の断面形状を有する。代替として、本発明の歯清掃用デバイスの環状本体２は、図１ｃおよび図１ｄに示すように、楕円形の断面形状を有し得る。図１ｃの特定の実施形態において、本体２は、本体２に対して垂直方向に細長い断面形状を有する。図１ｄに示す特定の実施形態において、環状本体２は、本体２に対して水平方向に細長い楕円形の断面形状を有する。最後に、図１ｆに示すように、環状本体２は、多角形の断面形状を有し得る。図１ｆに示す特定の実施形態において、多角形の断面形状は、８辺からなる。しかしながら、状況に応じて、所定数の辺をもつ任意の多角形の形状を選択することができる。
【００４５】
図８ａ〜図８ｅを参照しながら更なる詳細に記載するように、歯清掃用デバイス１に、舌と本体との粘着性を高めるようにされた粘着性向上手段を設けることができる。例えば、図１ｂに示す特定の実施形態において、円筒状表面５上または舌と係合するようにされた本体の該当部分上に、弾性突起部を設けることができる。
【００４６】
図２ａ〜図２ｄにおいて、異なる形状を有する本体２が示されている。例えば、図２ａにおいて、本体２は、多角形状の貫通孔４を画成する多角形の形状を有するのに対して、図２ｂにおいて、多角形状の本体２は、円形の貫通孔４を画成する。図２ｃに示すように、本体２は、四角形の貫通孔４を画成する四角形の形状を有することもでき、または、代替として、図２ｄに示すように、本体２は、円形の貫通孔４を画成する四角形の形状を有することができる。
【００４７】
図示していない他の形状が、本発明の範囲内のものであり、これらの例が、本発明を限定することを意図したものでなく、本発明の歯清掃用デバイスが持ち得るさまざまな形状を例示したものにすぎないことを理解されたい。
【００４８】
また、図２ａ〜図２ｄに示すさまざまな形状の任意のものと、図１ａ〜図１ｆに示す断面形状の任意のものとを組み合わせることができることも理解されたい。例えば、図２ａの多角形状の本体２は、図１ｅに示すような円形の断面形状や、図１ｃおよび図１ｄのいずれかに示すような楕円形の断面形状さえ持ち得る。
【００４９】
好ましい実施形態によれば、歯清掃用デバイスの本体２は、例えば、練り歯磨きや香味物質や治療用物質などの分散可能な物質を収容するようになっている。例えば、前記本体２には、使用中、前記本体に設けられた狭い通路（図示せず）を通って放出される液体の分散可能な物質を充填することができる。代替として、前記本体２に、前記分散可能な物質を染み込ませることができる。
【００５０】
本体２は、例えば、ゴム、シリコン、樹脂などの弾性材料によって形成されることが好ましい。
【００５１】
本発明の歯清掃用デバイスは、唾液に対して、不活性で毒性がなく不浸透性であることが好ましい。
【００５２】
以下、本発明の歯清掃用デバイスの更なる実施形態の図３ａ〜図３ｄおよび図４ａ〜図４ｄを参照しながら記載する。
【００５３】
図３ｂおよび図３ａは、それぞれ歯清掃用デバイスの斜視図と断面図に関する。図３ｂおよび図３ａから明らかなように、図示した更なる実施形態による本体２は、収容孔を介して外部と連通する内側キャビティ７を画成する中空本体である。内側キャビティ７は、舌の少なくとも端部を収容するようになっているため、歯清掃用デバイス１は、舌と係合することで、使用者が口内のあらゆる位置に移動できるようにされる。図示するように、内側キャビティ７は、舌の端部分を収容するための任意の形状を有し得る。例えば、図３ａおよび図３ｄに示すように、内側キャビティ７は、テーパ形状を有し得る。代替として、図３ｃに示すように、内側キャビティ７は、中空の円筒形状を有し得る。
【００５４】
上述したように、内側キャビティ７は、舌と係合するようになっている。内側キャビティ７の内面７’と舌との粘着性を高めるために、前記内面７’に、図８ａに示すような弾性突起部８などの粘着性向上手段を設けることができる。
【００５５】
代替として、内面７’に、前記粘着性向上手段がなく、歯清掃用デバイスが口内のあらゆる位置でうまく移動できるように、ある種の真空効果を得ることができるような内側キャビティの形状が選択される。
【００５６】
また、図３ｃおよび図３ｄから明らかなように、状況に応じて、外部の形状を選択することができる。図３ｃにおいて、本体２は、中空の円筒形状を有するように描かれているのに対して、図３ｄにおいて、本体２は、シンブル形状を有するように描かれている。
【００５７】
明瞭にするために、図３ｂにおいて、毛３は、本体２の外面を部分的にしか覆っていないように描かれている。しかしながら、図３ａから明らかなように、前記毛３は、本体２の全外面を覆うように設けられることが好ましい。図３ａから明らかなように、内側キャビティ７の縁と内側キャビティ７の内面７’には毛がないことが好ましい。内側キャビティ７の縁や内面７’上に毛を設けると、歯清掃用デバイスと舌とが係合したさい、不快や煩わしさを感じさせてしまうことになる。
【００５８】
図４ａおよび図４ｂに示すように、本体２は、所定の形状の内側キャビティ７を画成する中空の球状形状を有することもできる。例えば、図４ｃに示すように、内側キャビティ７は、中空の球状形状を有し得る。代替として、図４ｄに示すように、内側キャビティ７は、テーパ形状を有し得る。この場合も、図４ａの側面図と図４ｂの平面図において、明瞭に示すために、毛３は、本体２の外面を部分的に覆うように示されているが、前記毛３は、本体２の外面全体を覆うように設けられることが好ましい。図３ａ〜図３ｄに示す歯清掃用デバイスの場合と同様に、図４ａ〜図４ｄに示す球状の歯清掃用デバイスの内側キャビティ７の縁部には、通常、清掃用の毛がなく、内側キャビティ７の縁部上と内側キャビティ７の内面７’上に、弾性突起部などの粘着性向上手段を設けることができる。
【００５９】
また、図３ａ〜図３ｄおよび図４ａ〜図４ｄを参照して記載した実施形態の歯清掃用デバイスの本体２は、リフレッシュ用または香味物質、練り歯磨き、または治療用物質などの分散可能な物質を収容するように適合され得ることは言うまでもない。前記分散可能物質は、使用中、本体２に設けられた小さい通路（図示せず）を介して放出されるように、本体２内に充填されることもできるし、本体２に前記分散可能物質を染み込ませることもできる。
【００６０】
ゴム、シリコン、または樹脂などは、本体２を形成するための材料として選択され、前記本体２が、唾液に対して、毒性がなく不活性であり不浸透性のものであることが好ましい。
【００６１】
以下、図５ａ〜図５ｄ、図６ａ〜図６ｄ、および図７ａ〜図７ｄを参照しながら、本発明による歯清掃用デバイスの更なる好ましい実施形態について記載する。前記好ましい実施形態によれば、歯清掃用デバイス１の本体２は、変形可能な本体、すなわち、任意の好ましい形状に変形可能な本体である。特に、歯清掃用デバイスが変形可能であるのは、舌と容易に係合可能にして、舌を使って口内のあらゆる位置で移動できるようにするためである。
【００６２】
図５ａ〜図５ｄに示す特定の実施形態において、本体２は、細長いバレット状の形状を有する。代替として、図７ａ〜図７ｄに示すように、本体２は、平坦な細長いストリップを備えてよい。図５ｂ〜図５ｄに、図５ｅの細長いバレット状の本体２が舌と容易に係合するように変形可能である方法のいくつかの例が与えられている。例えば、図５ｂに示すように、細長いバレット状の本体２は、円形の環状孔４を画成する環状リングに変形可能である。代替として、本体２は、図５ｄに示すような細長い貫通孔４を画成するように変形可能である。更なる例として、本体２は、図５ｃに示すような馬蹄形に変形可能である。
【００６３】
細長いバレット状の本体２は、図６ａ〜図６ｄに示すような任意の好ましい断面形状を有し得る。例えば、図６ａに示すように、本体は、平坦な表面５を備えてよく、バレット状の本体２の断面形状は、前記平坦な表面に対応する線形部分と、前記線形部分に接合された湾曲部分５’とを備えてよい。代替として、バレット状の本体２は、円形の断面形状（図６ａ〜図６ｄに図示せず）または図６ｃに示すような楕円形の断面形状、または図６ｂおよび図６ｄに示すような所定数の辺を有する多角形のような断面形状を有し得る。
【００６４】
上述した第１の実施形態の場合と同様に、バレット状の本体２の一部分には、円形の毛がないことが好ましく、したがって、使用者は、清掃用の毛によって覆われておらず、舌と係合するようになっている係合部分を容易に認識することができる。
【００６５】
変形可能な本体２が細長い平坦なストリップを備える場合、前記平坦なストリップは、図７ｂに示すような円形の断面形状か、図７ｃに示すような細長い楕円形の断面形状または馬蹄形の断面形状（図７ａ〜図７ｄに図示せず）のいずれかを有する管状形状に容易に変形可能である。更なる例として、平坦なストリップ７ａは、図７ｄに示すような中空本体に変形可能であり、前記中空本体は、図３ａ〜図３ｄおよび図４ａ〜図４ｅを参照しながら記載したいくつかの形状にほぼ対応する形状を有する。
【００６６】
また、この実施形態の変形可能な本体２にも、香味物質や練り歯磨きや治療用物質などの分散物質を充填でき、前記物質が、使用中、前記本体内に設けられた小さい通路を介して放出されることは明らかである。代替として、変形可能な本体２に前記分散可能な物質を染み込ませることができる。
【００６７】
この実施形態の変形可能な本体２は、唾液に対して、毒性がなく不活性で不浸透性である。
【００６８】
図８ａ〜図８ｅにおいて、上述した異なる実施形態に粘着性向上手段８が設けられる方法の例が与えられている。特に、図８ａにおいて、図３ａ〜図３ｄを参照しながら上述したシンブル状の中空本体２は、内側キャビティ７の内面７’上に設けられた弾性突起部８を備えるように描かれている。図８ｂにおいて、変形可能な細長いバレット状の本体２は、前記本体２の平坦な表面５を覆う前記弾性突起部８が備えられるように示されている。更なる例として、図８ｃは、環状本体２の断面図に関し、同時において、弾性突起部８は、貫通孔４に面するように設けられている。弾性突起部８は、図８ｅおよび図８ｄに示すような任意の好ましい形状を有してよい。
【００６９】
最後に、図９ａ〜図９ｃを参照しながら、本発明の歯清掃に備えられたものであってよい清掃用の毛の例が与えられている。図９ａから明らかなように、清掃用の毛は、２つの異なる長さのものであってよい。また、清掃用の毛は、図９ｂおよび図９ｃに示すような房状に配設されてもよい。最後に、図９ｃに示すように、毛は、本体からある角度に延びることができる。
【００７０】
毛を形成する材料は、ナイロンを含むことが好ましい。
【００７１】
上述した本発明の歯清掃用デバイスのすべての実施形態に、間違って飲み込むことがないように使用者が手で持つような綿や糸や紐（図示せず）が設けられてよく、これは、子どもが歯清掃用デバイスを使用する場合に特に利便性がある。
【００７２】
更なる好ましい実施形態によれば、本発明の歯清掃用デバイスは、甘いものやドロップなどに埋め込むことができ、口に含んだ後、甘いものやドロップを形成する材料が唾液で、または噛むことで溶ける。ドロップが溶けると、歯清掃用デバイスは、口内のあらゆる位置に移動して、上述した清掃プロセスを完了することができる。
【００７３】
ドロップまたは甘いものは、香味物質または治療用物質を含んでよいが、砂糖を含有する材料は避けることが好ましい。
【００７４】
図１０ａ〜図１０ｃに、図１ａ、図３ａ、および図５ａのそれぞれの歯清掃用デバイスが分散可能な材料のドロップ９に埋め込まれている対応する例が示されている。
【００７５】
結論として、従来の歯清掃用デバイスに対して以下の利点および／または相違点を示す本発明の歯清掃用デバイスが開示された。
【００７６】
本発明の歯清掃用デバイスは、噛むためのものではなく、清掃作用は、舌を使って口内のあらゆる位置に本発明の歯清掃用デバイスを移動させることによって得られる。
【００７７】
このため、本発明の歯清掃用デバイスは、舌と係合するための係合手段を備える。本発明の歯清掃用デバイスを口内にあらゆる位置に移動することによって、歯の噛合わせ表面が清掃されるだけでなく、食物粒子が歯間の隙間から効率的に除去され、歯茎が刺激され、歯垢が適切に除去される。
【００７８】
本発明の歯清掃用デバイスは、水がすぐに自由にならないあらゆる状況において使用可能であり、一旦使用されると、廃棄可能である。
【００７９】
本発明の歯清掃用デバイスは、身体障害者や障害者によって便利よく使用されることがある。
【００８０】
本発明の歯清掃用デバイスにより、時間をかけず完全な清掃を利用できるため、歯の清掃に時間をとられたがらない多忙な人々によって都合良く使用され得る。
【００８１】
言うまでもなく、上述した実施形態に、広範囲の変更および修正を加えることが可能であることを理解されたい。したがって、本発明の範囲を規定するように意図されたものは、すべての等価物を含む特許請求の範囲であることも理解されたい。最後に、本願明細書に示し記載した本発明による歯清掃用デバイスの形態および／または形状は、本発明の好ましい実施形態として解釈されるべきものである。
【図面の簡単な説明】
【００８２】
【図１ａ】本発明の第１の実施形態によるリング状またはドーナツ状の歯清掃用デバイスに関する。
【図１ｂ】本発明の第１の実施形態によるリング状またはドーナツ状の歯清掃用デバイスに関する。
【図１ｃ】本発明の第１の実施形態によるリング状またはドーナツ状の歯清掃用デバイスに関する。
【図１ｄ】本発明の第１の実施形態によるリング状またはドーナツ状の歯清掃用デバイスに関する。
【図１ｅ】本発明の第１の実施形態によるリング状またはドーナツ状の歯清掃用デバイスに関する。
【図１ｆ】本発明の第１の実施形態によるリング状またはドーナツ状の歯清掃用デバイスに関する。
【図２ａ】本発明の歯清掃用デバイスの本体の好ましい形状を示す。
【図２ｂ】本発明の歯清掃用デバイスの本体の好ましい形状を示す。
【図２ｃ】本発明の歯清掃用デバイスの本体の好ましい形状を示す。
【図２ｄ】本発明の歯清掃用デバイスの本体の好ましい形状を示す。
【図３ａ】本発明の歯清掃用デバイスの更なる好ましい実施形態に関する。
【図３ｂ】本発明の歯清掃用デバイスの更なる好ましい実施形態に関する。
【図３ｃ】本発明の歯清掃用デバイスの更なる好ましい実施形態に関する。
【図３ｄ】本発明の歯清掃用デバイスの更なる好ましい実施形態に関する。
【図４ａ】本体が中空の球状を有する本発明の歯清掃用デバイスの対応する実施形態を示す。
【図４ｂ】本体が中空の球状を有する本発明の歯清掃用デバイスの対応する実施形態を示す。
【図４ｃ】本体が中空の球状を有する本発明の歯清掃用デバイスの対応する実施形態を示す。
【図４ｄ】本体が中空の球状を有する本発明の歯清掃用デバイスの対応する実施形態を示す。
【図５ａ】本体が変形可能な細長いバレット状の本体を含む本発明の更なる実施形態に関する。
【図５ｂ】本体が変形可能な細長いバレット状の本体を含む本発明の更なる実施形態に関する。
【図５ｃ】本体が変形可能な細長いバレット状の本体を含む本発明の更なる実施形態に関する。
【図５ｄ】本体が変形可能な細長いバレット状本体を含む本発明の更なる実施形態に関する。
【図６ａ】図５ａ〜図５ｄの細長いバレット状本体の好ましい断面形状を示す。
【図６ｂ】図５ａ〜図５ｄの細長いバレット状本体の好ましい断面形状を示す。
【図６ｃ】図５ａ〜図５ｄの細長いバレット状本体の好ましい断面形状を示す。
【図６ｄ】図５ａ〜図５ｄの細長いバレット状本体の好ましい断面形状を示す。
【図７ａ】本体が変形可能な平坦なストリップを含む本発明の歯清掃用デバイスの更なる実施形態に関する。
【図７ｂ】本体が変形可能な平坦なストリップを含む本発明の歯清掃用デバイスの更なる実施形態に関する。
【図７ｃ】本体が変形可能な平坦なストリップを含む本発明の歯清掃用デバイスの更なる実施形態に関する。
【図７ｄ】本体が変形可能な平坦なストリップを含む本発明の歯清掃用デバイスの更なる実施形態に関する。
【図８ａ】粘着性向上手段を含む本発明の歯清掃用デバイスの実施形態を示す。
【図８ｂ】粘着性向上手段を含む本発明の歯清掃用デバイスの実施形態を示す。
【図８ｃ】粘着性向上手段を含む本発明の歯清掃用デバイスの実施形態を示す。
【図８ｄ】粘着性向上手段を含む本発明の歯清掃用デバイスの実施形態を示す。
【図８ｅ】粘着性向上手段を含む本発明の歯清掃用デバイスの実施形態を示す。
【図９ａ】本発明の歯清掃用デバイスの本体に設けられた毛の対応する例を示す。
【図９ｂ】本発明の歯清掃用デバイスの本体に設けられた毛の対応する例を示す。
【図９ｃ】本発明の歯清掃用デバイスの本体に設けられた毛の対応する例を示す。
【図９ｄ】本発明の歯清掃用デバイスの本体に設けられた毛の対応する例を示す。
【図９ｅ】本発明の歯清掃用デバイスの本体に設けられた毛の対応する例を示す。
【図１０ａ】本発明の清掃用デバイスが分散可能な材料のドロップに埋め込まれた対応する例を示す。
【図１０ｂ】本発明の清掃用デバイスが分散可能な材料のドロップに埋め込まれた対応する例を示す。
【図１０ｃ】本発明の清掃用デバイスが分散可能な材料のドロップに埋め込まれた対応する例を示す。
【図１ａ】
2005523099.tif 000003
【図１ｂ】
2005523099.tif 000004
【図１ｃ】
2005523099.tif 000005
【図１ｄ】
2005523099.tif 000006
【図１ｅ】
2005523099.tif 000007
【図１ｆ】
2005523099.tif 000008
【図２ａ】
2005523099.tif 000009
【図２ｂ】
2005523099.tif 000010
【図２ｃ】
2005523099.tif 000011
【図２ｄ】
2005523099.tif 000012
【図３ａ】
2005523099.tif 000013
【図３ｂ】
2005523099.tif 000014
【図３ｃ】
2005523099.tif 000015
【図３ｄ】
2005523099.tif 000016
【図４ａ】
2005523099.tif 000017
【図４ｂ】
2005523099.tif 000018
【図４ｃ】
2005523099.tif 000019
【図４ｄ】
2005523099.tif 000020
【図５ａ】
2005523099.tif 000021
【図５ｂ】
2005523099.tif 000022
【図５ｃ】
2005523099.tif 000023
【図５ｄ】
2005523099.tif 000024
【図６ａ】
2005523099.tif 000025
【図６ｂ】
2005523099.tif 000026
【図６ｃ】
2005523099.tif 000027
【図６ｄ】
2005523099.tif 000028
【図７ａ】
2005523099.tif 000029
【図７ｂ】
2005523099.tif 000030
【図７ｃ】
2005523099.tif 000031
【図７ｄ】
2005523099.tif 000032
【図８ａ】
2005523099.tif 000033
【図８ｂ】
2005523099.tif 000034
【図８ｃ】
2005523099.tif 000035
【図８ｄ】
2005523099.tif 000036
【図８ｅ】
2005523099.tif 000037
【図９ａ】
2005523099.tif 000038
【図９ｂ】
2005523099.tif 000039
【図９ｃ】
2005523099.tif 000040
【図１０ａ】
2005523099.tif 000041
【図１０ｂ】
2005523099.tif 000042
【図１０ｃ】
2005523099.tif 000043
【手続補正書】
【提出日】平成16年4月29日(2004.4.29)
【手続補正１】
【補正対象書類名】特許請求の範囲
【補正対象項目名】全文
【補正方法】変更
【補正の内容】
【特許請求の範囲】
【請求項１】
本体（２）と、前記本体によって保持された複数の毛（３）とを備える歯清掃用デバイスであって、
人の舌と係合するようになっており、舌を使って口内で前記歯清掃用デバイスを移動させることができるようにする係合手段（４、７）を備え、
前記本体が、使用中に自然に分散される分散可能な物質を収容するようになっており、
前記本体に前記分散可能物質を染み込ませることを特徴とする、歯清掃用デバイス。
【請求項２】
前記分散可能物質が、香味物質、練り歯磨き、または治療用物質の中から選択されることを特徴とする、請求項１に記載の歯清掃用デバイス。
【請求項３】
前記係合手段が、舌の少なくとも一部分を収容するようになっている収容部分（４、７）を備え、舌を使って口内で前記歯清掃用デバイスを移動させることができることを特徴とする、請求項１または２に記載の歯清掃用デバイス。
【請求項４】
前記収容部分が、舌の少なくとも端部を収容するようになっている収容孔（４）を備え、舌を使って口内で前記歯清掃用デバイスを移動させることができることを特徴とする、請求項３に記載の歯清掃用デバイス。
【請求項５】
前記本体が、前記収容部分を画成する内側キャビティ（７）を備える中空本体であり、前記内側キャビティが、前記収容孔を介して外部と連通することを特徴とする、請求項４に記載の歯清掃用デバイス。
【請求項６】
前記中空本体が、ほぼ円筒状の収容部分を画成するほぼ中空の円筒形状を有することを特徴とする、請求項５に記載の歯清掃用デバイス。
【請求項７】
前記本体が、テーパ状の収容部分を画成するほぼ中空のシンブル形状を有することを特徴とする、請求項５に記載の歯清掃用デバイス。
【請求項８】
前記本体が、ほぼ球状の収容部分を画成するほぼ球状の中空形状を有することを特徴とする、請求項５に記載の歯清掃用デバイス。
【請求項９】
前記本体が、前記収容孔に対応する貫通孔（４）を画成することを特徴とする、請求項４に記載の歯清掃用デバイス。
【請求項１０】
前記本体が、ほぼリング形状またはドーナツ形状を有することを特徴とする、請求項９に記載の歯清掃用デバイス。
【請求項１１】
前記本体が、ほぼ四角形状を有することを特徴とする、請求項９に記載の歯清掃用デバイス。
【請求項１２】
前記本体が、所定数の辺を有するほぼ多角形状を有することを特徴とする、請求項９に記載の歯清掃用デバイス。
【請求項１３】
前記本体が、ほぼ円形の断面形状を有することを特徴とする、請求項９〜１２のいずれか一項に記載の歯清掃用デバイス。
【請求項１４】
前記本体が、ほぼ四角形の断面形状を有することを特徴とする、請求項９〜１２のいずれか一項に記載の歯清掃用デバイス。
【請求項１５】
前記本体が、所定数の辺を有するほぼ多角形の断面形状を有する、請求項９〜１２のいずれか一項に記載の歯清掃用デバイス。
【請求項１６】
前記本体が、前記貫通孔に面する円筒状の表面（５）を備えることを特徴とする、請求項９〜１２のいずれか一項に記載の歯清掃用デバイス。
【請求項１７】
前記本体が、線形部分と、前記線形部分に接合された湾曲部分とによって画成される断面形状を有することを特徴とする、請求項１６に記載の歯清掃用デバイス。
【請求項１８】
請求項１または２に記載の歯清掃用デバイス（１）であって、前記本体（２）が、人の歯と係合するようになっており、舌を使って口内で前記歯清掃用デバイスを移動させることができるようにする係合手段（４、７）を形成するような形になるように変形可能であることを特徴とする、歯清掃用デバイス。
【請求項１９】
前記本体が、舌の少なくとも一部分を収容するようになっている収容部分（４、７）を画成するように変形可能であり、舌を使って口内で前記歯清掃用デバイスを移動させることができることを特徴とする、請求項１８に記載の歯清掃用デバイス。
【請求項２０】
前記本体が、舌の少なくとも端部を収容するようになっている収容孔（４）を備える収容部分を画成するように変形可能であり、舌を使って口内で前記歯清掃用デバイスを移動させることができることを特徴とする、請求項１９に記載の歯清掃用デバイス。
【請求項２１】
前記本体が、前記収容部分を画成するように変形されるようになっている平坦なストリップを備えることを特徴とする、請求項２０に記載の歯清掃用デバイス。
【請求項２２】
前記平坦なストリップが、ほぼ円筒状の収容部分を画成するほぼ円筒形状の本体に変形可能であることを特徴とする、請求項２１に記載の歯清掃用デバイス。
【請求項２３】
前記平坦なストリップが、テーパ収容部分を画成するほぼシンブル形状の本体に変形可能であることを特徴とする、請求項２１に記載の歯清掃用デバイス。
【請求項２４】
前記平坦なストリップが、ほぼ球状の収容部分を画成するほぼ球形状の本体に変形可能であることを特徴とする、請求項２０に記載の歯清掃用デバイス。
【請求項２５】
前記本体が、貫通孔（４）を画成するように変形されるようになっている、ほぼバレル状の形状の細長い本体を備えることを特徴とする、請求項２０に記載の歯清掃用デバイス。
【請求項２６】
細長い本体が、ほぼリング状またはドーナツ状の本体に変形可能であることを特徴とする、請求項２５に記載の歯清掃用デバイス。
【請求項２７】
前記細長い本体が、ほぼ四角形状の本体に変形可能であることを特徴とする、請求項２５に記載の歯清掃用デバイス。
【請求項２８】
前記細長い本体が、所定数の辺を有するほぼ多角形状の本体に変形可能であることを特徴とする、請求項２５に記載の歯清掃用デバイス。
【請求項２９】
前記細長い本体が、ほぼ円形の断面形状を有することを特徴とする、請求項２５〜２８のいずれか一項に記載の歯清掃用デバイス。
【請求項３０】
前記細長い本体が、ほぼ四角形の断面形状を有することを特徴とする、請求項２５〜２８のいずれか一項に記載の歯清掃用デバイス。
【請求項３１】
前記細長い本体が、所定数の辺を有するほぼ多角形状の断面形状を有することを特徴とする、請求項２５〜２８のいずれか一項に記載の歯清掃用デバイス。
【請求項３２】
前記細長い本体が、平坦な表面（５）を備えることを特徴とする、請求項２５〜２８のいずれか一項に記載の歯清掃用デバイス。
【請求項３３】
前記細長い本体が、線形部分と、前記線形部分に接合された湾曲部分（５’）とによって画成された断面形状を有することを特徴とする、請求項３２に記載の歯清掃用デバイス。
【請求項３４】
前記本体が、舌と接触するようになっている接触領域を備え、前記毛が前記接触領域の外側に設けられることを特徴とする、請求項１〜３３のいずれか一項に記載の歯清掃用デバイス。
【請求項３５】
前記本体が、弾性材料によって形成され、ユーザが手で持つように糸や紐が設けられることで、前記歯清掃用デバイスを間違って飲み込まないようにすることを特徴とする、請求項１〜３４のいずれか一項に記載の歯清掃用デバイス。
【請求項３６】
前記弾性材料が、ゴム、シリコン、または樹脂から選択されることを特徴とする、請求項３５に記載の歯清掃用デバイス。
【請求項３７】
前記本体が、唾液に対して、不活性であり毒性がなく不浸透性であることを特徴とする、請求項１〜３６のいずれか一項に記載の歯清掃用デバイス。
【請求項３８】
前記本体が、本体への舌の粘着性を高めるようになっている粘着性向上手段（８）を備えることを特徴とする、請求項１〜３７のいずれか一項に記載の歯清掃用デバイス。
【請求項３９】
前記粘着性向上手段が、前記本体から延伸する弾性突起部を備えることを特徴とする、請求項３８に記載の歯清掃用デバイス。
【請求項４０】
前記毛が、少なくとも２つの異なる長さの毛を備えることを特徴とする、請求項１〜３９のいずれか一項に記載の歯清掃用デバイス。
【請求項４１】
前記毛が、毛の束を含むことを特徴とする、請求項１〜４０のいずれか一項に記載の歯清掃用デバイス。
【請求項４２】
前記本体（２）と前記毛が、人の唾液によって分散されるようになっている分散可能な物質の甘いものまたはドロップ（９）に少なくとも部分的に埋め込まれることを特徴とする、請求項１〜４１のいずれか一項に記載の歯清掃用デバイス。
【手続補正２】
【補正対象書類名】明細書
【補正対象項目名】００１３
【補正方法】変更
【補正の内容】
【００１３】
舌により口内で移動可能とされた歯清掃用デバイスの他の例は、独国特許第１００３３８４９号明細書から公知となっている。
【手続補正３】
【補正対象書類名】明細書
【補正対象項目名】００１４
【補正方法】変更
【補正の内容】
【００１４】
以上のことから、従来技術の欠点を解消または部分的に制限する改良された歯清掃用デバイスを提供することが強く望まれている。
【本発明の概要】
【手続補正４】
【補正対象書類名】明細書
【補正対象項目名】００１５
【補正方法】変更
【補正の内容】
【００１５】
一般的に、本発明は、口内のあらゆる位置に容易に移動可能であることにより、優れた清掃結果を得ることができるハンドレス清掃用デバイスに関する。
【手続補正５】
【補正対象書類名】明細書
【補正対象項目名】００１６
【補正方法】変更
【補正の内容】
【００１６】
特に、本発明による歯清掃用デバイスにより、歯垢を効率的に除去および／または防止できる。
【手続補正６】
【補正対象書類名】明細書
【補正対象項目名】００１７
【補正方法】変更
【補正の内容】
【００１７】
更に、本発明の歯清掃用デバイスにより、日常的な活動を行いながら歯を清掃できるため、実用的に用いられ時間がかからないものである。
【手続補正７】
【補正対象書類名】明細書
【補正対象項目名】００１８
【補正方法】変更
【補正の内容】
【００１８】
更に、本発明の歯清掃用デバイスでは、手および／または腕を用いる必要がないため、上半身不随の身体障害者が便利よく使用できる。
【手続補正８】
【補正対象書類名】明細書
【補正対象項目名】００１９
【補正方法】変更
【補正の内容】
【００１９】
本発明の歯清掃用デバイスは、水を必要とせず、清掃プロセスが完了すると廃棄することができる。
【手続補正９】
【補正対象書類名】明細書
【補正対象項目名】００２０
【補正方法】変更
【補正の内容】
【００２０】
最後に、本発明による歯清掃用デバイスは、使用者の特定の要求を満たすような形状にすることができる。使用者は、口内のあらゆる位置で歯清掃用デバイスを効率的に移動させることが可能な最も好ましい形状を選択することができる。この形状は、清掃プロセス中に変更することも可能であるため、使用者は、一回の清掃プロセス中にさまざまな清掃目的を利用することができる。
【手続補正１０】
【補正対象書類名】明細書
【補正対象項目名】００２１
【補正方法】変更
【補正の内容】
【００２１】
この目的を達成するために、請求項１に記載の第１の実施形態によれば、本発明は、本体と、前記本体によって保持された複数の毛とを備える歯清掃用デバイスであって、舌と係合するようになっており、舌を使って口内で前記歯清掃用デバイスを移動させることができるようにする係合手段を備える、歯清掃用デバイスに関する。更に、前記本体は、使用中に自然に分散される分散可能な物質を収容するようになっている。特に、前記本体には前記分散可能物質が潤浸されている。
【手続補正１１】
【補正対象書類名】明細書
【補正対象項目名】００２２
【補正方法】変更
【補正の内容】
【００２２】
前記分散可能物質は、香味物質または練り歯磨きまたは治療用物質から選択できることが好ましい。
【手続補正１２】
【補正対象書類名】明細書
【補正対象項目名】００２３
【補正方法】変更
【補正の内容】
【００２３】
請求項５に記載の好ましい実施形態によれば、本発明の歯清掃用デバイスの本体は、舌の少なくとも一部分を収容するようになっている収容部分を画成する内側キャビティを備える中空本体である。
【手続補正１３】
【補正対象書類名】明細書
【補正対象項目名】００２４
【補正方法】変更
【補正の内容】
【００２４】
請求項９に記載の別の好ましい実施形態において、本発明の歯清掃用デバイスの本体は、貫通孔を画成する。
【手続補正１４】
【補正対象書類名】明細書
【補正対象項目名】００２５
【補正方法】変更
【補正の内容】
【００２５】
請求項１０に記載の更なる好ましい実施形態によれば、前記本体は、リングまたはドーナツ形状を有する。
【手続補正１５】
【補正対象書類名】明細書
【補正対象項目名】００２６
【補正方法】変更
【補正の内容】
【００２６】
請求項１８に記載の別の好ましい実施形態において、前記本体は、舌により係合可能となっている係合手段を形成し、舌を使って口内で前記歯清掃用デバイスを移動させることができるようにするような形になるように変形可能である。
【手続補正１６】
【補正対象書類名】明細書
【補正対象項目名】００２７
【補正方法】変更
【補正の内容】
【００２７】
特に、請求項２１に記載の本発明の好ましい実施形態によれば、歯清掃用デバイスの本体は、舌の少なくとも一部分を収容するようになっている収容部分を画成するように変形されるようになっている平坦なストリップを備える。
【手続補正１７】
【補正対象書類名】明細書
【補正対象項目名】００２８
【補正方法】変更
【補正の内容】
【００２８】
請求項２２〜２４のいずれか一項に記載の更なる好ましい実施形態によれば、前記平坦なストリップは、ほぼ円筒形状、シンブル形状、または球状の本体となるように変形可能である。
【手続補正１８】
【補正対象書類名】明細書
【補正対象項目名】００２９
【補正方法】変更
【補正の内容】
【００２９】
請求項２５に記載の更なる好ましい実施形態において、本発明による歯清掃用デバイスの本体は、ほぼバレット状の形状の細長い本体を備える。
【手続補正１９】
【補正対象書類名】明細書
【補正対象項目名】００３０
【補正方法】変更
【補正の内容】
【００３０】
例えば、前記細長い本体は、ほぼリング状またはドーナツ状の本体に変形可能であり、または、所定数の辺を有するほぼ四角形状の本体または多角形様の形状の本体に変形可能である。
【手続補正２０】
【補正対象書類名】明細書
【補正対象項目名】００３１
【補正方法】変更
【補正の内容】
【００３１】
更なる好ましい実施形態によれば、本発明の歯清掃用デバイスの本体に、使用中、前記本体に設けられた小さい通路を介して放出される液体の分散可能な物質が充填される。
【手続補正２１】
【補正対象書類名】明細書
【補正対象項目名】００３２
【補正方法】変更
【補正の内容】
【００３２】
請求項３５に記載の別の好ましい実施形態において、本発明の歯清掃用デバイスの本体は、弾性材料によって形成され、ユーザが手で持つように糸や紐が設けられることで、歯清掃用デバイスを間違って飲み込まないようにする。前記弾性材料は、ゴム、シリコン、または樹脂から選択されることが好ましい。
【手続補正２２】
【補正対象書類名】明細書
【補正対象項目名】００３３
【補正方法】変更
【補正の内容】
【００３３】
更に、請求項３７に記載の更なる好ましい実施形態によれば、本発明の歯清掃用デバイスの本体は、唾液に対して、不活性であり毒性がなく不浸透性である。
【手続補正２３】
【補正対象書類名】明細書
【補正対象項目名】００３４
【補正方法】変更
【補正の内容】
【００３４】
請求項３８に記載の別の好ましい実施形態によれば、本体への舌の粘着性を高めるために、粘着性向上手段が設けられる。前記追加の向上手段は、本体から延伸する弾性突起部を備えることが好ましい。
【手続補正２４】
【補正対象書類名】明細書
【補正対象項目名】００３５
【補正方法】変更
【補正の内容】
【００３５】
請求項４２に記載の更なる好ましい実施形態によれば、本発明の歯清掃用デバイスは、人の唾液および／または噛むことによって溶けるようになっている分散可能な物質の甘いものやドロップなどに埋め込まれる。
【手続補正２５】
【補正対象書類名】明細書
【補正対象項目名】００３６
【補正方法】削除
【補正の内容】
【国際調査報告】
2005523099.tif 000044
2005523099.tif 000045
2005523099.tif 000046